(57)【要約】【課題】音源のコネクタの形式を自由に変換することができ、異なる周波数の音声信号の送信端に対応することができ、２種類の形式のコネクタの音源受信端に対応することができるヘッドフォンを提供する。【解決手段】  接続部と、接続部の両端側面に設けられた耳部カバーとを含んでなり、接続部、或いは耳部カバーに挿入孔を設け、接続コードの一端に設けた音響用のコネクタヘッドを耳部カバーの挿入孔に接続し、接続コードの他端の異なる規格のコネクタヘッドで音源の信号を受信、入力することができるため、異なる規格のコネクタヘッドに接続する。【選択図】図４Ａ
0003135522.tif 000002
【実用新案登録請求の範囲】
【請求項１】
接続部と、
該接続部の両端側面に設けられた耳部カバーとを含んでなり、
該接続部、或いは耳部カバーに挿入孔を設け、接続コードの一端に設けた音響用のコネクタヘッドを耳部カバーの挿入孔に接続し、接続コードの他端の異なる規格のコネクタヘッドで音源の信号を受信、入力することができるため、異なる規格のコネクタヘッドに接続することを特徴とするヘッドフォン。
【請求項２】
前記接続コードの一端が標準的な音響用のコネクタヘッドで、他端が音響用のコネクタヘッドであることを特徴とする請求項１に記載のヘッドフォン。
【請求項３】
前記接続コードの一端が標準的な音響用のコネクタヘッドで、他端がＵＳＢ挿入ヘッドであることを特徴とする請求項１に記載のヘッドフォン。
【請求項４】
前記挿入孔が外側に開閉自在の蓋体を増設して外部の塵や、ゴミなどが挿入孔に進入することを防ぐ構造からなることを特徴とする請求項１に記載のヘッドフォン。
【請求項５】
延長コードがもとの接続コードに接続し、該延長コードの一端にコネクタヘッドを設けて接続コードのコネクタヘッドに接続することができ、他端のコネクタヘッドが６．３ｍｍの音響用のコネクタヘッドか、３．５ｍｍの音響用のコネクタヘッドか、ＵＳＢ挿入ヘッドのどれかであることを特徴とする請求項１に記載のヘッドフォン。
【請求項６】
接続部と、
該接続部の両端側面に設けられた耳部カバーとを含んでなり、
該接続部か、耳部カバーから延伸した接続孔座を具えてなり、該接続孔座が接続コードの一端の音響用のコネクタヘッドや、耳部カバーの接続孔座に接続し、他端が異なる規格のコネクタヘッドで音源の信号を受信、入力して異なる規格のコネクタヘッドに接続することができる構造からなることを特徴とするヘッドフォン。
【請求項７】
前記接続コードの一端が標準的な音響用のコネクタヘッドで、他端が音響用のコネクタヘッドであることを特徴とする請求項６に記載のヘッドフォン。
【請求項８】
前記接続コードの一端が標準的な音響用のコネクタヘッドで、他端はＵＳＢ挿入ヘッドであることを特徴とする請求項６に記載のヘッドフォン。
【請求項９】
もとの接続コードに接続する延長コードの一端が接続コードのコネクタヘッドに接続するコネクタヘッドであって、他端が６．３ｍｍか、３．５ｍｍの音響用のコネクタヘッド、或いはＵＳＢ挿入ヘッドのどれか一つであることを特徴とする請求項６に記載のヘッドフォン。
【考案の詳細な説明】
【技術分野】
【０００１】
この考案は、ヘッドフォンに関し、特に規格の同じ挿入孔、或いは接続孔座を有し、異なる音源設備に対応して、適宜な音源用のコネクタヘッドに変更でき、信号を受信するヘッドフォンに関する。
【背景技術】
【０００２】
８０年代に音声が録音されたテープなどを再生する携帯用のテープ再生機が流行して以降、ＭＰ３、iＰｏｄ（アップルコンピューター登録商標）など関連する製品が次第に内部にメモリーを具えた製品へと発展してきた。科学技術の進歩に伴い、上述の製品の体積は次第に小型化されている。
【０００３】
しかしながら、利用者の要求の高まりにより多様化した多くの機能が求められ、取り外しの方法がそれぞれ大きく異なっている。また、ヘッドフォンでは、携帯に便利な耳に挿入するタイプの製品や、フレームを折り畳むことができる製品などヘッドフォンなど製品の周辺機器も次第に様々なタイプに発展してきている。さらに、ヘッドフォンの形態も多種多様に変化している。
【０００４】
しかしながら、音声信号の周波数のコネクタコードを具えた形式は以前のものと大きな変化がない。
【０００５】
図１に開示するように、従来のヘッドフォン１０は、フレームの両端に設けられた耳部カバー1２と、該耳部カバー１２の外周面の一端に一体に成型された接続コード１４と、該接続コード１４の略中間部分に設けられたコントローラー１６と、該接続コード１４の一端に設けられたＵＳＢコネクタであるコネクタ１８とを含んでなる。該コントローラー１６は、音量の制御、始動及び停止の設定を行うために供する。
【０００６】
図２に、従来のヘッドフォンの他の実施形態を開示する。図面によれば、ヘッドフォン１０‘は、耳部カバー１２’に設けられた接続コード１４’と、該接続コード１４’のコネクタ１８’が一般の音響コネクタ（例えば、３．５ｍｍ）であって、ユーザーは該音響コネクタ１８’を直接ＭＰ３、携帯用の音声再生機、携帯用のＣＤプレイヤー、ラジオ、ミニ音響設備などに挿設して使用することができる。または、使用する距離を延長するために別のコネクタ座２２及び音響用コネクタ２４を具えた接続コード２０を利用して使用することもできる。
【０００７】
図１、図２に開示するように、従来のヘッドフォン及び接続コードは固定式であって、いずれも一つの接続コードコネクタしか設けられていないため、異なる規格の挿入孔の場合には、使用することができない。
【考案の開示】
【考案が解決しようとする課題】
【０００８】
この考案は、音源のコネクタの形式を自由に変換することができ、異なる周波数の音声信号の送信端に対応することができるヘッドフォンを提供することを課題とする。
【０００９】
また、この考案は、２種類の形式のコネクタの音源受信端に対応することができるヘッドフォンを提供することを課題とする。
【課題を解決するための手段】
【００１０】
そこで、本考案の考案者は従来の技術に見られる欠点に鑑みて鋭意研究を重ねた結果、接続部と、該接続部の両端側面に設けられた耳部カバーとを含んでなり、該接続部、或いは耳部カバーに挿入孔を設け、接続コードの一端に設けた音響用のコネクタヘッドを耳部カバーの挿入孔に接続し、接続コードの他端の異なる規格のコネクタヘッドで音源の信号を受信、入力することができるため、異なる規格のコネクタヘッドに接続する構造からなる。
【００１１】
以下、この考案について具体的に説明する。
請求項１に記載する接続部と、
該接続部の両端側面に設けられた耳部カバーとを含んでなり、
該接続部、或いは耳部カバーに挿入孔を設け、接続コードの一端に設けた音響用のコネクタヘッドを耳部カバーの挿入孔に接続し、接続コードの他端の異なる規格のコネクタヘッドで音源の信号を受信、入力することができるため、異なる規格のコネクタヘッドに接続する。
【００１２】
請求項２に記載のヘッドフォンは、請求項１に記載の接続コードの一端が標準的な音響用のコネクタヘッドで、他端が音響用のコネクタヘッドである。
【００１３】
請求項３に記載のヘッドフォンは、請求項１に記載の接続コードの一端が標準的な音響用のコネクタヘッドで、他端がＵＳＢ挿入ヘッドである。
【００１４】
請求項４に記載のヘッドフォンは、請求項１に記載の挿入孔が外側に開閉時債の蓋体を増設して外部の塵や、ゴミなどが挿入孔に進入することを防ぐ構造からなる。
【００１５】
請求項５に記載のヘッドフォンは、請求項１に記載の延長コードがもとの接続コードに接続し、該延長コードの一端にコネクタヘッドを設けて接続コードのコネクタヘッドに接続することができ、他端のコネクタヘッドが６．３ｍｍの音響用のコネクタヘッドか、３．５ｍｍの音響用のコネクタヘッドか、ＵＳＢ挿入ヘッドのどれかである。
【００１６】
請求項６に記載のヘッドフォンは、接続部と、
該接続部の両端側面に設けられた耳部カバーとを含んでなり、
該接続部か、耳部カバーから延伸した接続孔座を具えてなり、該接続孔座が接続コードの一端の音響用のコネクタヘッドや、耳部カバーの接続孔座に接続し、他端が異なる規格のコネクタヘッドで音源の信号を受信、入力して異なる規格のコネクタヘッドに接続することができる構造からなる。
【００１７】
請求項７に記載のヘッドフォンは、請求項６に記載の接続コードの一端が標準的な音響用のコネクタヘッドで、他端が音響用のコネクタヘッドである。
【００１８】
請求項８に記載のヘッドフォンは、請求項６に記載の接続コードの一端が標準的な音響用のコネクタヘッドで、他端はＵＳＢ挿入ヘッドである。
【００１９】
請求項９に記載のヘッドフォンは、請求項６に記載のもとの接続コードに接続する延長コードの一端が接続コードのコネクタヘッドに接続するコネクタヘッドであって、他端が６．３ｍｍか、３．５ｍｍの音響用のコネクタヘッド、或いはＵＳＢ挿入ヘッドのどれか一つである。
【考案の効果】
【００２０】
この考案のヘッドフォンは、様々な規格のコネクタヘッドで音源の信号を受信することができるため、使用者が購入するコストを抑え、実用性を高めるという効果を有する。
【００２１】
また、この考案のヘッドフォンは、製造工程及び組み立てが簡単であるとともに、コネクタヘッドの規格が様々に対応できるため、消費者の選択が広がるという効果を有する。
【考案を実施するための最良の形態】
【００２２】
この考案は、音源のコネクタの形式を自由に変換することができ、異なる周波数の音声信号の送信端に対応することができ、２種類の形式のコネクタの音源受信端に対応することができるヘッドフォンであって、接続部と、
該接続部の両端側面に設けられた耳部カバーとを含んでなり、
該接続部、或いは耳部カバーに挿入孔を設け、接続コードの一端に設けた音響用のコネクタヘッドを耳部カバーの挿入孔に接続し、接続コードの他端の異なる規格のコネクタヘッドで音源の信号を受信、入力することができるため、異なる規格のコネクタヘッドに接続する構造からなる。
かかるヘッドフォンの構造と特徴を詳述するために具体的な実施例を挙げ、図示を参照にして以下に説明する。
【実施例】
【００２３】
図３Ａ、図３Ｂに開示するように、この考案のヘッドフォン３０は、接続部３２と、該接続部３２の両端側面にそれぞれ設けられる耳部カバー３４とを含んでなる。
【００２４】
該接続部３２は、使用者の頭部の頂点付近に対応する部分が弧状に形成され、異なる使用者の頭部の大きさに合わせて調整することができる伸縮構造を具えてなる。また、接続部３２の両端側面には音を遮断し、耳の外側を被覆する耳部カバー３４を具えてなり、該耳部カバー３４の内側には耳と密接に接触するクッション（cushions）３４２が設けられる。該クッション３４２の内側は通常、音を吸収する材料から形成されているため、音を吸収することができる。
【００２５】
該接続部３２の両端側面に設けられた耳部カバー３４は通常、弾性を具えた金属、或いはプラスチック製の接続部３２と互いに接続し、接続部３２が密接に挟み込む力を具えているため、クッション３４２と耳とが密接に接続して外部の音を遮断し、音声を外耳に伝える。
【００２６】
また、好ましい実施形態では、耳部カバー３４に挿入孔３４４及び凹座３４６とを設ける。該接続部３２に挿入孔（図示しない）を設けてもよいが、この実施の形態では耳部カバー３４に挿入孔３４４を設けた場合を説明する。
【００２７】
挿入孔３４４は、標準的な音響用のコネクタヘッド（例えば３．５ｍｍ）を供する形態に形成する。また、該凹座３４６は、接続部に長方形の凹型に形成し、挿入孔３４４に挿設したコネクタヘッドが勝手に回転しないように固定する。さらに、該挿入孔３４４及び凹部３４６の外部に開閉自在の蓋体３４８を増設してもよく、該蓋体３４８は閉じた状態にして外部の汚れた塵やゴミなどが挿入孔３４４の内部に進入することを防ぐ。
【００２８】
この実施の形態における接続コード３６は、一端が標準的な音響用のコネクタヘッド３８（３．５ｍｍ）であって、他端がＵＳＢ挿入ヘッド４０（ユニバーサルシリアルバス、Ｕｎｉｖｅｒｓａｌ  Ｓｅｒｉａｌ  Ｂｕｓ）を具えてなる。該ＵＳＢ挿入ヘッド４０は、例えばコンピュータ、その他デジタル信号を出力する音源設備（Ａｕｄｉｏ  ｄｅｖｉｃｅ）などＵＳＢポートを具えた再生装置に広く応用することができ、適用性を大幅に高めることができる。
【００２９】
図面によれば、該ＵＳＢ挿入ヘッド４０はオス端であるが、この限りではない。該ＵＳＢ挿入ヘッド４０はデジタル音声信号を入力するために供し、制御装置４２を介して音量の大きさを調整して、アナログ信号（Ｄ／Ａ）に転換する。
【００３０】
接続コード３６の一端に設けられた音響用のコネクタヘッド３８を耳部カバー３４の挿入孔３４４に挿設し、凹座３４６で挿入孔３４４に接続した音響用のコネクタヘッド３８を係合固定して簡単に抜け落ちることを防ぎ、位置を固定する。
【００３１】
図４Ａ、図４Ｂに開示するように、ヘッドフォン３０は、図３に開示するヘッドフォンと同じ構造を具えてなり、耳部カバー３４に挿入孔３４４と凹座３４６とが設けられる。該挿入孔３４４は標準的な音響用のコネクタヘッド４６（例えば３．５ｍｍか、或いは６．３ｍｍなど）を挿接するために供する。また、該凹座３４６は、挿入孔３４４に接続する音響用のコネクタヘッド４６を固定するために供する。
【００３２】
該接続コード４４は、一端が標準的な音響用のコネクタヘッド４６（例えば３．５ｍｍ、６．３ｍｍ、或いはその他規格の音響用のコネクタヘッド）であって、耳部カバー３４の挿入孔３４４に挿接され、他端が同様の標準的な音響用のコネクタヘッド４８（３．５ｍｍ）を設け、一般的のステレオ、テレビ、ｉＰｏｄ（アップルコンピューター登録商標）に適用することができる。該凹座３４６は、挿入孔３４４に接続した音響用のコネクタヘッド４６を係合して固定するために供する。
【００３３】
図５は、この考案の別の実施形態を開示する。図面によれば、この実施の形態では、延長コード５０をもとの接続コード４４に接続し（図４参照）、ヘッドフォン３０を使用する距離を延長する。
【００３４】
該延長コード５０は一端にコネクタヘッド５２を設けてなり、接続コード４４のコネクタヘッド４８に接続し、他端のコネクタヘッド５４は、６．３ｍｍのコネクタヘッド、標準的な音響用のコネクタヘッド（３．５ｍｍ）、或いはＵＳＢ挿入ヘッドに変更することができ、延長コード５０を延長、或いは転換接続するために利用する。
【００３５】
図６Ａ、図６Ｂに開示するように、この考案のヘッドフォン３０は、接続部３２と、該接続部３２の両端側面に設けられた耳部カバー３４とを含んでなる。
【００３６】
前述の実施形態と異なる点は、この実施の形態では接続部３２の両端側面に設けられた耳部カバー３４のそれぞれの外周側面から接続コード５６を具えた接続孔座５８が延伸する。
【００３７】
しかしながら、接続部３２から延伸した接続コード５６を具えた接続孔座５８は、接続孔座５８を図３に開示するように接続コード３６を挿接するために供してもよい。該接続コード３６は一端が標準的な音響用のコネクタヘッド３８（３．５ｍｍ）を具えてなり、この実施の形態の延伸した接続孔座５８を具えたヘッドフォン３０を利用するために供することができ、他端がUSB挿入ヘッド４０からなる。該ＵＳＢ挿入ヘッド４０は多野デジタル音声信号入力装置と合わせて使用するために供する。
【００３８】
図７Ａ及び図７Ｂによれば、該ヘッドフォン３０は、接続部３２の両端側面に設けられた耳部カバー３４に該耳部カバー３４から延伸した接続コード５６を具えた接続孔座５８を具えてなる。該接続孔座５８は、図４に示す接続コード４４に接続するために供する。
【００３９】
接続コード４４は、一端が標準的な音響用のコネクタヘッド４６であって、該耳部カバー３４の接続孔座５８に接続するために供し、他端が標準的な音響用のコネクタヘッド４８（３．５ｍｍ）と同様の形式を具えてなり、一般のステレオ、テレビ、ｉＰｏｄ（アップルコンピューター登録商標）などに対応することができる。
【００４０】
よって、この実施の形態におけるヘッドフォン３０は、図８に開示するように、延長コード５０をもとの接続コード４４に接続することができる。
【００４１】
該使用する距離を延長するためのコードは、使用者の周辺設備であって、該延長コード５０は一端にコネクタヘッド５２を具えてなり、接続コード４４のコネクタヘッド４８に接続し、他端のコネクタヘッド５４は６．３ｍｍのコネクタヘッド、標準的な音響用のコネクタヘッド（３．５ｍｍ）、或いはＵＳＢ挿入ヘッドに変えて延長コード５０に接続して延長するか、転換接続するために供する。
【００４２】
この考案の実施形態では耳部カバー３４に挿入孔３４４に設けるか、或いは接続コード５６を具えた接続孔座５８に延伸して設け、音源コネクタを交換することができる。
【００４３】
また、該ヘッドフォン３０の接続部３２も同様の目的を具えるため、接続部３２のどこかに挿入孔３４４か、或いは接続孔座５８を延伸して設けてもよい。
【００４４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００４５】
【図１】従来のＵＳＢ挿入ヘッドを具えたヘッドフォンを示した斜視図である。
【図２】従来の音響用のコネクタを具えたヘッドフォンを示した斜視図である。
【図３Ａ】この考案のＵＳＢ挿入ヘッドを接続する接続孔を具えたヘッドフォンを示した斜視図である。
【図３Ｂ】この考案のＵＳＢ挿入ヘッドを接続する接続孔を具えたヘッドフォンを示した斜視図である。
【図４Ａ】この考案の音響用のコネクタヘッドに接続する接続孔を具えたヘッドフォンを示した斜視図である。
【図４Ｂ】この考案の音響用のコネクタヘッドに接続する接続孔を具えたヘッドフォンを示した斜視図である。
【図５】この考案の延長コードと、音響用のコネクタヘッドに接続する接続孔を具えたヘッドフォンを示した斜視図である。
【図６Ａ】この考案のＵＳＢ挿入ヘッドに接続する接続孔座を具えたヘッドフォンを示した斜視図である。
【図６Ｂ】この考案のＵＳＢ挿入ヘッドに接続する接続孔座を具えたヘッドフォンを示した斜視図である。
【図７Ａ】この考案の音響用のコネクタヘッドを接続する接続孔座を具えたヘッドフォンを示した斜視図である。
【図７Ｂ】この考案の音響用のコネクタヘッドを接続する接続孔座を具えたヘッドフォンを示した斜視図である。
【図８】この考案の音響用のコネクタヘッドを接続する接続孔座を具えたヘッドフォンを示した斜視図である。
【符号の説明】
【００４６】
１０、１０‘     ヘッドフォン
１２、１２‘     耳部カバー
１４、１４‘     接続コード
１６             コントローラー
１８、１８‘     コネクタ
２０             接続コード
２２             コネクタ座
２４             音響用コネクタ
３０             ヘッドフォン
３２             接続部
３４             耳部カバー
３４２           クッション
３４４           挿入孔
３４６           凹座
３４８           蓋体
３６             接続コード
３８             コネクタヘッド
４０             ＵＳＢ挿入ヘッド
４２             制御装置
４４             接続コード
４６、４８       コネクタヘッド
５０             延長コード
５２             コネクタヘッド
５４             コネクタヘッド
５６             接続コード
５８             接続孔座
【図１】
0003135522.tif 000003
【図２】
0003135522.tif 000004
【図３Ａ】
0003135522.tif 000005
【図３Ｂ】
0003135522.tif 000006
【図４Ａ】
0003135522.tif 000007
【図４Ｂ】
0003135522.tif 000008
【図５】
0003135522.tif 000009
【図６Ａ】
0003135522.tif 000010
【図６Ｂ】
0003135522.tif 000011
【図７Ａ】
0003135522.tif 000012
【図７Ｂ】
0003135522.tif 000013
【図８】
0003135522.tif 000014